(57)【要約】【課題】側面固定式引き出しスライドレール自動開閉装置の緩衝構造を提供する。【解決手段】主に自動開閉装置のスライド台は油圧シリンダーを設置し、該油圧シリンダーの軸芯はスライドブロック組を連接する。該スライドブロック組がバネの弾性回復力により後方へと復位スライド移動する時、該油圧シリンダーの軸芯は収縮し油圧シリンダー本体が生じる油圧抵抗力により該スライドブロック組が後方へと復位する速度を低下させ、これに対応し該スライドブロック組と該内スライドレールが連結する引き出しは後方へと復位スライド移動する速度もまた緩やかになり、緩衝作用を具え、引き出しが後方へと向かい復位スライド移動する時に生じる激烈な震動を防止し、騒音を低下させ、部品の損壊を減少させ、使用寿命を延長することができる。【選択図】図３
0003122771.tif 000002
【実用新案登録請求の範囲】
【請求項１】
主に自動開閉装置はスライド台、引き出しスライドレール、連動棒、スライドブロック組を含み、
該スライド台は該引き出しスライドレールの外スライドレールと連結固定し該外スライドレールは別に別に固定部品により箱体の内側壁の側辺と固定し連結し、該スライド台は該スライドブロック組をスライド移動させるスライド槽を具え、かつ該スライド槽の片側には係合槽を具え、別に該スライド台は該バネの反対側と連接し、該バネの片側は該スライドブロック組と連接し、
該スライドブロック組は導柱を具え、該スライド台のスライド槽内に可動設置し、これにより該スライドブロック組を往復スライド移動させ、
該連動棒は引き出しスライドレールの引き出しの外側壁と固定連結する内スライドレールの片側に設置し、
上記構成部品の組合せにより、引き出しは該内スライドレールに連動され後方へと復位する時、該内スライドレールの連動棒により該スライドブロック組を押上げ、これにより該スライドブロック組の導柱は該スライド台のスライド槽の係合槽を離脱し、さらに該スライドブロック組はバネの弾性回復力により該スライド層の後ろ側に向かいスライド移動し、
該スライド台には油圧シリンダーを設置し、該油圧シリンダーの軸芯は該スライドブロック組と連接し、該スライドブロック組は該バネの弾性回復力により後方へと復位スライド移動する時、該油圧シリンダー軸芯は収縮し油圧シリンダー本体が生じる油圧抵抗力により該スライドブロック組が後方へと復位する速度を低下させ、これに対応し該スライドブロック組と該内スライドレールが連結する引き出しは後方へと復位スライド移動する速度もまた緩やかになり、緩衝作用を具え、引き出しが後方へと向かい復位スライド移動する時に生じる激烈な震動を防止して騒音を低下させることを特徴とする側面固定式引き出しスライドレール自動開閉装置の緩衝構造。
【請求項２】
請求項１記載の側面固定式引き出しスライドレール自動開閉装置の緩衝構造において、前記スライドブロック組はスライドロックとスライドブロックを含み、該スライドロックは該スライドブロックと可動接続し、該スライドブロックは該油圧シリンダーの軸芯と連結することを特徴とする側面固定式引き出しスライドレール自動開閉装置の緩衝構造。
【請求項３】
請求項２記載の側面固定式引き出しスライドレール自動開閉装置の緩衝構造において、前記スライドブロック組のスライドロックは該スライド台のスライド槽においてスライド移動する導柱を具えることを特徴とする側面固定式引き出しスライドレール自動開閉装置の緩衝構造。
【考案の詳細な説明】
【技術分野】
【０００１】
本考案は一種の側面固定式引き出しスライドレール自動開閉装置の緩衝構造に関する。特に一種の自動開閉装置を具えたスライド台に油圧シリンダーを設置し、該油圧シリンダーの軸芯はスライドブロック組と連接し、該スライドブロック組はバネの弾力性回復力により、引き出しを連動し自動的に後方へとスライド移動させる時の緩衝作用を具え、これにより震動を抑え、騒音を低下させ、部品の損壊を減少させる側面固定式引き出しスライドレール自動開閉装置の緩衝構造に係る。
【背景技術】
【０００２】
図１に示すように、公知の引き出し用スライドは自動開閉装置を具える。該自動開閉装置はスライド台、バネ、スライドブロック、内スライドレールに設置する連動ブロックにより構成する。
その欠点は引き出しがバネの力により自動的に後方へと復位移動する時、しばしば速度が速すぎるために騒音を発生し、しかも震動が生じ易く、長期間の使用により部品の損壊を招き使用寿命に悪影響を与える点である。
また該引き出しスライドレールに別に気圧棒を設置し、減速し緩衝作用を持たせることもできるが、気圧棒の伸縮不安定により震動が発生し、また場所を取るため設置が容易でないという欠点もある。
さらに複雑な干渉ユニットの設置はコストが高くつくだけでなく、場所を取り、しかも組立てが面倒である。
【考案の開示】
【考案が解決しようとする課題】
【０００３】
本考案の主な目的は、側面固定式引き出しスライドレール自動開閉装置の緩衝構造を提供し、自動開閉装置のスライド台は油圧シリンダーを設置し、該油圧シリンダーの軸芯はスライドブロック組と連接し、該スライドブロック組がバネの弾性回復力により引き出しを連動し自動的に後方へとスライド移動させる時、緩衝作用を具え、震動を防止し、騒音を低下させる。
【０００４】
本考案のさらに一つの目的は、側面固定式引き出しスライドレール自動開閉装置の緩衝構造を提供し、自動開閉装置は緩衝作用を具えるため、部品の損壊を減少させ、使用寿命を高め、しかも組立てが容易で、複雑な緩衝ユニットを設置する必要がないという長所を具える。
【課題を解決するための手段】
【０００５】
請求項１の考案は、主に自動開閉装置はスライド台、引き出しスライドレール、連動棒、スライドブロック組を含み、
該スライド台は該引き出しスライドレールの外スライドレールと連結固定し該外スライドレールは別に別に固定部品により箱体の内側壁の側辺と固定し連結し、該スライド台は該スライドブロック組をスライド移動させるスライド槽を具え、かつ該スライド槽の片側には係合槽を具え、別に該スライド台は該バネの反対側と連接し、該バネの片側は該スライドブロック組と連接し、
該スライドブロック組は導柱を具え、該スライド台のスライド槽内に可動設置し、これにより該スライドブロック組を往復スライド移動させ、
該連動棒は引き出しスライドレールの引き出しの外側壁と固定連結する内スライドレールの片側に設置し、
上記構成部品の組合せにより、引き出しは該内スライドレールに連動され後方へと復位する時、該内スライドレールの連動棒により該スライドブロック組を押上げ、これにより該スライドブロック組の導柱は該スライド台のスライド槽の係合槽を離脱し、さらに該スライドブロック組はバネの弾性回復力により該スライド層の後ろ側に向かいスライド移動し、
該スライド台には油圧シリンダーを設置し、該油圧シリンダーの軸芯は該スライドブロック組と連接し、該スライドブロック組は該バネの弾性回復力により後方へと復位スライド移動する時、該油圧シリンダー軸芯は収縮し油圧シリンダー本体が生じる油圧抵抗力により該スライドブロック組が後方へと復位する速度を低下させ、これに対応し該スライドブロック組と該内スライドレールが連結する引き出しは後方へと復位スライド移動する速度もまた緩やかになり、緩衝作用を具え、引き出しが後方へと向かい復位スライド移動する時に生じる激烈な震動を防止して騒音を低下させることを特徴とする側面固定式引き出しスライドレール自動開閉装置の緩衝構造としている。
請求項２の考案は、請求項１記載の側面固定式引き出しスライドレール自動開閉装置の緩衝構造において、前記スライドブロック組はスライドロックとスライドブロックを含み、該スライドロックは該スライドブロックと可動接続し、該スライドブロックは該油圧シリンダーの軸芯と連結することを特徴とする側面固定式引き出しスライドレール自動開閉装置の緩衝構造としている。
請求項３の考案は、請求項２記載の側面固定式引き出しスライドレール自動開閉装置の緩衝構造において、前記スライドブロック組のスライドロックは該スライド台のスライド槽においてスライド移動する導柱を具えることを特徴とする側面固定式引き出しスライドレール自動開閉装置の緩衝構造としている。
【考案の効果】
【０００６】
本考案は自動開閉装置のスライド台は油圧シリンダーを設置し、油圧シリンダーの軸芯が該スライドブロック組と連接することにより、スライドブロック組はバネの弾性回復力により引き出しを連動し自動的に後方へとスライド移動させ、この時緩衝作用が生じ、震動を防止し、騒音を低下させることができる。さらに本考案の自動開閉装置は緩衝作用を具えるため、部品の損壊を減少させ、使用寿命を高め、しかも組立てが容易で、複雑な緩衝ユニットを設置する必要がないという長所を具える。
【考案を実施するための最良の形態】
【０００７】
図２〜１１に示すように、本考案の自動開閉装置はスライド台１、引き出しスライドレール２、スライドブロック組を含む。
該スライド台１は底部に係合槽１１１、１１２を具え、該引き出しスライドレール２の外スライドレール２１底面と一体にプレス成型する突起係合(図示なし)は嵌設連結、或いは固定、或いは他の方式により、該外スライドレール２１底面と連結固定する。該外スライドレール２１は別に固定部品(図示なし)により箱体(図示なし)の内側壁の側辺と固定し連結する。該スライド台１はスライド溝１０を具え、該スライド溝１０内の両側相互に隣接して、対称する壁面には同一方向のスライド槽１０１を具え、かつ該スライド槽１０１の中間部位の上方にはガード面１０２を形成し、前側は下方へと湾折し、係合固定槽１０１２を延伸形成する。また該スライド台１の後ろ側には係合槽１０３を具え、バネ３０の反対側３０２と係合設置定位する。
【０００８】
該スライドブロック組３はスライドロック３１とスライドブロック３２を含む。
該スライドロック３１は左右両側の前後にそれぞれ対象の前導柱３１１と後導柱３１２を具え、該スライド台１のスライド溝１０内の両側の相互に隣り合った壁面に設置するスライド槽１０１内に可動設置することができる。これにより該スライドロック３１は該スライド台１のスライド溝１０において往復スライド移動を行い、しかもその前側には前下方へと傾斜する導斜面３１３を具え、中央に近い部位には定位凹槽３１４を具える。またその上方にはガードブロック３１５を具え、かつ該スライドロック３１の後ろ側は該スライドブロック３２と可動接続し、該スライドブロック３２の両側には定位フック３２１を具え、該バネ３０片側３０１と連接し、さらに該バネ３０の反対側３０２と該スライド台１と連接する。
【０００９】
次に図４に示すように、連動棒２２１は該引き出しスライドレール２の引き出し(図示なし)の外側壁と固定、連結する内スライドレール２２の端面の片側に設置し、該連動棒２２の内側は槽孔２２２と連接する。
【００１０】
上記構造により、開閉状態時に該スライドブロック組３のスライドロック３１のガードブロック３１５は該スライド台のスライド溝１０のガード面１０２においてガードする(図６、７、８参照)。該内スライドレール２２の連動棒２２１は該スライドロック３１の定位凹槽３１４内に位置する(図５、７参照)。引き出しが該内スライドレール２２に連動され、外へと引き出される時、該連動棒２２１は該スライドロック３１を連動する。該スライドロック３１は該前導柱３１１と該後導柱３１２により該スライド台１のスライド槽１０１に従い後方へとスライド移動する。該前導柱３１１が該スライド槽１０１の前側面にまでスライド移動した時、下方へ向かい該係合固定槽１０１２に入る。こうして該スライドロック３１後側は上方へと跳ね上がり、前側の前導柱３１１は該係合固定槽１０１２において定位される(図９、１０参照)。さらに、該内スライドレール２２の連動棒２２１は該スライドロック３１の定位凹槽３１４を離脱し(図１０参照)、前方へとスライド移動を継続する。
【００１１】
反対に引き出しが該内スライドレール２２を連動し、後方へと復位させる時、該連動棒２２１の前側は該スライドロック３１前側に接触し、該導斜面３１３に従い該定位凹槽３１４に入り、後方へと向かいが定位凹槽３１４の隣接するガードブロック３１５の後壁面３１５１を押上げる。こうして該スライドロック３１の前側は上方へと跳ね上がり、同時にその前側の前導柱３１１は該係合固定槽１０１２に従い上方へとスライド移動し、該係合固定槽１０１２の定位から離脱する。これに従い該スライドブロック組３のスライドブロック３２が設置するバネ３０の弾性回復力により該スライド槽１０１の後ろ側はスライド移動し、該スライドロック３１のガードブロック３１５は該スライド台１のガード面１０２においてガードされ(図６、７、８参照)、自動開閉の機能を達成する。
【００１２】
該スライド台１は定位槽１２を具え(図８参照)、嵌設或いは固定或いは他の方式により油圧シリンダー４を設置する。該油圧シリンダー４の軸芯４１は嵌合槽４１１を具え、該スライドブロック組３のスライドブロック３２が設置する嵌合３２２と嵌合連接する(図８参照)。これにより該スライドブロック組３のスライドロック３１と該スライドブロック３２が該バネ３０の弾性回復力により後方へとスライド復位する時、該油圧シリンダー４の軸芯４１により該油圧シリンダー本体４０が生じる油圧抵抗力により該スライドブロック組３は後方復位スライド移動の速度を低下させることができる。これに対応し、該スライドブロック組３と該内スライドレール２２が連結する引き出しが後方へと復位スライド移動する速度もまた緩やかになり緩衝作用を具えるようになる。こうして引き出しの後方復位スライド移動時に発生する激しい震動を防止、さらには騒音を低下させ、部品の損壊を減少させ、使用寿命を延命することができる。
【００１３】
さらに該スライドブロック組３のスライドロック３１は後ろ側に可動接続槽３１０を具え(図１１参照)、該スライドブロック３２の可動軸３２０と可動接続し、該スライドロック３１は該内スライドレール２２の連動棒２２１により連動スライド移動の順調性を維持する。
また該スライド台１の定位槽１２は該スライド溝１０と通じ、該油圧シリンダー４の油圧本体４０周辺は係合ブロック４０１を具え、該スライド台１の定位槽１２内に嵌設する。
【００１４】
次に図４に示すように、該引き出しスライドレール２は内スライドレール２２、中スライドレール２０、外スライドレール２１により組成する三段階式引き出しスライドレールで、同様の特徴は内スライドレールと外スライドレールにより組成する二段式引き出しスライドレールにも存在するため、ここでは詳述しない。
【００１５】
また本考案は側面固定式引き出しスライドレールの異なる構造の自動開閉装置にも適用可能である。スライドル台、バネ、及び内スライドレールの連動棒を具える引き出しスライドブロック組はみなスライド台において油圧シリンダー４を設置し、油圧シリンダー４の軸芯はスライドブロック組を連接し、緩衝機能を達成することができる。
【図面の簡単な説明】
【００１６】
【図１】公知の自動開閉機能を具えた側面固定式引き出しスライドレールの部分立体図である。
【図２】本考案実施例の立体分解図である。
【図３】本考案実施例の立体図である。
【図４】本考案実施例の外スライドレールに設置されるが内スライドレールとスライド嵌設されない様子の立体分解図である。
【図５】本考案実施例を引き出しスライドレール上方に設置する様子の立体組合せ図である。
【図６】本考案実施例のスライドロックがスライド台のガード面において固定される様子の平面表示図である。
【図７】本考案実施例のスライドロックがスライド台のガード面において固定される様子の側面表示図である。
【図８】本考案実施例のスライドロックがスライド台のガード面において固定される様子の底面表示図である。
【図９】本考案実施例のスライドロックの前導柱が係合槽において定位される様子の平面表示図である。
【図１０】本考案実施例のスライドロックの前導柱が係合槽において定位される様子の側面表示図である。
【図１１】本考案実施例のスライドロックの側面平面表示図である。
【符号の説明】
【００１７】
１  スライド台
１１１  係合槽
１１２  係合槽
１０  スライド溝
１０１  スライド槽
１０２  ガード面
１０１２  係合固定槽
１０３  係合槽
２  引き出しスライドレール
２１  外スライドレール
２２  内スライドレール
２２１  連動棒
２２２  槽孔
３  スライドブロック組
３１  スライドロック
３１０  可動接続槽
３１１  前導柱
３１２  後導柱
３１３  導斜面
３１４  定位凹槽
３１５  ガードブロック
３１５１  後方壁面
３２  スライドブロック
３２０  可動接続軸
３２１  定位フック
３２２  嵌合
３０  バネ
３０１  片側
３０２  反対側
４  油圧シリンダー
４１  軸芯
４１１  嵌合槽
４０  油圧シリンダー本体
４０１  係合ブロック
【図１】
0003122771.tif 000003
【図２】
0003122771.tif 000004
【図３】
0003122771.tif 000005
【図４】
0003122771.tif 000006
【図５】
0003122771.tif 000007
【図６】
0003122771.tif 000008
【図７】
0003122771.tif 000009
【図８】
0003122771.tif 000010
【図９】
0003122771.tif 000011
【図１０】
0003122771.tif 000012
【図１１】
0003122771.tif 000013